【手続補正書】
【提出日】平成25年7月3日(2013.7.3)
【手続補正１】
【補正対象書類名】特許請求の範囲
【補正対象項目名】全文
【補正方法】変更
【補正の内容】
【特許請求の範囲】
【請求項１】
信号フレームによりデータを送信する方法であって、
a)前記信号フレーム内の第1のロケーションに第1の同期プリアンブルを挿入するステップと、
b)前記信号フレーム内の第2のロケーションに第2の同期プリアンブルを挿入するステップであって、該第2のロケーションを示す情報は、前記第1の同期プリアンブルにより搬送される、ステップと
無線通信環境内の受信装置に向けて前記信号フレームを発するステップと
を有する送信方法。
【請求項２】
前記信号フレームが、直交周波ス分割多重化(OFDM)方式の信号のフレームである、請求項１記載の送信方法。
【請求項３】
前記第2のロケーションを示す前記情報は、第1の同期シーケンスを通じて搬送される、請求項１記載の送信方法。
【請求項４】
１）前記第1の同期シーケンスは、前記第1のプリアンブル及び前記第2のプリアンブルの間の相対的なタイミングを示す情報を搬送し、又は
２）前記第1の同期シーケンスは、前記第1のプリアンブル及び前記第2のプリアンブルの間のオフセットを示す情報を搬送し、又は
３）前記第1の同期シーケンスは、前記第1の同期プリアンブルに対するブロードキャストヘッダの相対的なタイミング及び相対的な位置関係の内の少なくとも1つを示す情報を搬送し、又は
４）前記第1の同期シーケンスは、前記第1の同期プリアンブルに対する従来のフレームの相対的なタイミング及び相対的な位置関係の内の少なくとも1つを示す情報を搬送し、又は
５）前記第1の同期シーケンスが第1のシーケンス群に属し、前記第2の同期シーケンスが第2のシーケンス群に属し、前記第1のシーケンス群は前記第2のシーケンス群より小さい、請求項３記載の送信方法。
【請求項５】
前記第1の同期シーケンスが、送信装置のグループの識別子を示す情報を搬送し、前記信号フレームは、前記送信装置のグループに属する或る送信装置によって、前記受信装置に向けて送信される、請求項３記載の送信方法。
【請求項６】
前記グループ内の全ての送信装置は、前記第1の同期シーケンスを同時に送信する、請求項５記載の送信方法。
【請求項７】
前記第2の同期プリアンブルは、前記送信装置のグループに所属する或る送信装置のローカルIDを示す情報を搬送する、請求項５記載の送信方法。
【請求項８】
或る送信装置のローカルIDを示す前記情報は、第2の同期シーケンスにより搬送される、請求項７記載の送信方法。
【請求項９】
前記第1の同期シーケンス及び前記第2の同期シーケンスの組み合わせが、前記受信装置に向けて前記信号フレームを送信する前記或る送信装置のセルIDを示す、請求項８記載の送信方法。
【請求項１０】
前記第1の同期シーケンス及び前記第2の同期シーケンスの内の少なくとも1つが、制御情報を搬送する、請求項８記載の送信方法。
【請求項１１】
前記第1の同期シーケンスの少なくとも一部分は、前記送信装置のグループが移動可能な送信装置のグループであることを示す、請求項５記載の送信方法。
【請求項１２】
前記第1のシーケンス群に属する少なくとも1つの同期シーケンスは、移動可能な送信装置のグループに関連付けられている、請求項４記載の送信方法。
【請求項１３】
前記第1の同期プリアンブル及び前記第2の同期プリアンブルがキャリア周波数上で送信され、前記第1の同期プリアンブル及び前記第2の同期プリアンブルの少なくとも1つは前記キャリア周波数の内の一定の帯域幅の中に制限される、請求項１記載の送信方法。
【請求項１４】
１）前記一定の帯域幅は前記キャリア周波数と同じ帯域幅であり、又は
２）前記一定の帯域幅は前記キャリア周波数の帯域幅よりも狭い、請求項１３記載の送信方法。
【請求項１５】
１）前記第1の同期プリアンブル及び前記第2の同期プリアンブルが2つのキャリア周波数の内の所与の一方により送信され、前記2つのキャリア周波数の内の前記所与の一方は、制御情報を搬送することが可能であり、又は
２）前記第1の同期プリアンブル及び前記第2の同期プリアンブルの少なくとも1つは、2つのキャリア周波数の内の小さい方で送信される、請求項１３記載の送信方法。
【請求項１６】
信号フレームを生成する方法であって、
a)前記信号フレームの中で第1の同期プリアンブルを挿入するための第1のロケーションと、前記信号フレームの中で第2の同期プリアンブルを挿入するための第2のロケーションとを決定するステップと、
b)前記第2の同期プリアンブルについて決定された前記第2のロケーションに少なくとも部分的に基づいて、前記第1の同期プリアンブルを生成するステップと、
c)前記信号フレームの中で決定された前記第1のロケーションに前記第1の同期プリアンブルを挿入するステップと、
d)前記信号フレームの中で決定された前記第2のロケーションに前記第2の同期プリアンブルを挿入するステップと、
e)無線通信環境内の受信装置に向けて前記信号フレームを発するステップと
を有する生成方法。
【請求項１７】
前記a)のステップが、フレーム長及びチャネル状態に少なくとも部分的に基づいて行われる、請求項１６記載の生成方法。
【請求項１８】
前記信号フレームが、直交周波ス分割多重化(OFDM)方式の信号のフレームである、請求項１６記載の生成方法。
【請求項１９】
前記第1の同期プリアンブルを生成するステップにおいて、前記第2の同期プリアンブルの前記第2のロケーションを示す情報を与える第1の同期プリアンブルを生成する、請求項１６記載の生成方法。
【請求項２０】
１）前記第1の同期シーケンスは、前記第1のプリアンブル及び前記第2のプリアンブルの間の相対的なタイミングを示す情報を搬送し、又は
２）前記第1の同期シーケンスは、前記第1のプリアンブル及び前記第2のプリアンブルの間のオフセットを示す情報を搬送し、又は
３）前記第1の同期シーケンスが第1の部分及び第2の部分を含み、
a)前記第1の部分は、前記送信装置の前記グループの識別子を示す情報を搬送し、当該生成方法が、送信装置の前記グループに属する或る送信装置により実行され、
b)前記第2の部分は、前記第2の同期プリアンブルの前記第2のロケーションを示す情報を搬送する、請求項１９記載の生成方法。
【請求項２１】
前記第2の同期プリアンブルは、前記送信装置のグループに所属する或る送信装置のローカルIDを示す情報を搬送する、請求項２０記載の生成方法。
【請求項２２】
前記第1の同期シーケンス及び前記第2の同期シーケンスの組み合わせが、前記受信装置に向けて前記信号フレームを送信する前記或る送信装置のセルIDを示す、請求項２１記載の生成方法。
【請求項２３】
当該生成方法が前記第2の同期プリアンブルを生成するステップを更に有し、前記第1の同期プリアンブル及び前記第2の同期プリアンブルを生成する際に、前記第1の同期プリアンブル及び前記第2の同期プリアンブルの内の少なくとも1つが、制御情報を搬送するようにする、請求項１６記載の生成方法。
【請求項２４】
無線通信環境において信号フレームを送信する、制御エンティティ及び送信回路を有する送信装置であって、
a)前記制御エンティティは、
i)前記信号フレーム内の第1の同期プリアンブルのための第1のロケーションと、前記信号フレーム内の第2の同期プリアンブルのための第2のロケーションとを決定し、
ii)前記第2の同期プリアンブルについて決定された前記第2のロケーションに少なくとも部分的に基づいて前記第1の同期プリアンブルを生成し、
iii)前記信号フレームの中で決定された前記第1のロケーションに前記第1の同期プリアンブルを挿入し、
iv)前記信号フレームの中で決定された前記第2のロケーションに前記第2の同期プリアンブルを挿入し、
b)前記送信回路は、受信装置に向けて前記信号フレームを送信する、送信装置。
【請求項２５】
当該送信装置は無線基地局又は無線中継局の何れかであり、又は
前記受信装置は無線移動局である、請求項２４記載の送信装置。
【請求項２６】
無線通信環境において信号フレームを受信する方法であって、
a)第1の同期プリアンブル及び第2の同期プリアンブルを個々の信号フレームが含んでいる複数の信号フレームを有する無線信号を受信するステップと、
b)所与の信号フレームの中で第1の同期プリアンブルを確認するステップと、
c)前記第1の同期プリアンブルにより搬送された情報の少なくとも一部分に基づいて、前記所与の信号フレームの中の前記第2の同期プリアンブルのロケーションを判別するステップと、
d)前記第1の同期プリアンブル及び前記第2の同期プリアンブルの組み合わせから、送信シグナリング情報を取得するステップと
を有する受信方法。
【請求項２７】
無線通信環境において信号フレームを受信する、受信回路及び制御エンティティを有する受信装置であって、
a)前記受信回路は、
第1の同期プリアンブル及び第2の同期プリアンブルを個々の信号フレームが含んでいる複数の信号フレームを有する無線信号を受信し、
b)前記制御エンティティは、
i)前記無線信号の所与の信号フレームの中で前記第1の同期プリアンブルを確認し、    ii)前記第1の同期プリアンブルにより搬送された情報の少なくとも一部分に基づいて、前記所与の信号フレームの中の前記第2の同期プリアンブルのロケーションを判別し、    iii)前記第1の同期プリアンブル及び前記第2の同期プリアンブルの組み合わせから、送信シグナリング情報を取得する、受信装置。
【請求項２８】
無線通信環境において信号フレームを受信する、受信回路及び制御エンティティを有する受信装置であって、
a)前記受信回路は、
第1の同期プリアンブル及び第2の同期プリアンブルを個々の信号フレームが含んでいる複数の信号フレームを有する無線信号を受信し、
b)前記制御エンティティは、
i)前記無線信号の所与の信号フレームの中で前記第1の同期プリアンブルを確認し、    ii)前記所与の信号フレームの中で前記第2の同期プリアンブルを確認し、
iii)前記第1の同期プリアンブル及び前記第2の同期プリアンブルの内の少なくとも一方から、制御情報を取得する、受信装置。